(57)【要約】      （修正有）【課題】手術時に飛散する血液や体液が顔面に付着しないように、又その他の飛来物から顔面を守る顔面ガードフレームを提供する。【解決手段】ガードフレームはフロントフレーム２の両先端にツル３，３を設け、そして、ツル３の表面には表面との間に僅かな隙間を残して挟持片５を設け、挟持片５の裏面には２つの凸片を所定の間隔をおいて形成し、フロントフレーム２の正面には顔全面を覆うことが出来る透明なプラスチックシート１を配置し、その側端部を挟持片５に挟み込んで取付けている。【選択図】図４
0003194865.tif 000002
【実用新案登録請求の範囲】
【請求項１】
手術時に飛散する血液や体液が顔面に付着しないように、又その他の飛来物から顔面を守る顔面ガードフレームにおいて、該ガードフレームはフロントフレームの両先端にツルを設け、そして、ツルの表面には該表面との間に僅かな隙間を残して挟持片を設け、該挟持片の裏面又はツル表面には少なくとも２つの凸片を所定の間隔をおいて形成し、該フロントフレームの正面には顔全面を覆うことが出来る透明なプラスチックシートを配置し、その側端部を上記挟持片に挟み込んで取付けたことを特徴とする顔面ガードフレーム。
【請求項２】
上記両凸片は三角形と丸形とした請求項１記載の顔面ガードフレーム。
【請求項３】
メガネを掛けた状態で顔面ガードフレームを着用することが出来るように、メガネのフロント部上縁部にフロントフレームを載せることが出来るように幅広とし、そしてフロントフレームの鼻当てパットを着脱自在とした請求項１、又は請求項２記載の顔面ガードフレーム。
【請求項４】
上記プラスチックシートの上部を折り曲げて飛散する血液や体液が上方から侵入することを防止する上部ガード片を形成し、上部ガード片と正面ガード部の境界には切り込みを設けた請求項１、請求項２、又は請求項３記載の顔面ガードフレーム。
【考案の詳細な説明】
【技術分野】
【０００１】
本考案は血液や体液などが飛沫、また微細な飛来物から顔面を保護する為の顔面ガードフレームに関するものである。
【背景技術】
【０００２】
従来から医療手術に際しては手術用マスクが用いられている。しかし、このマスクは鼻や口を保護するのに効果はあるが、目や耳を保護することは出来ず、その為にＣ型肝炎ウィルスやエイズウィルスが目や耳から侵入することを防ぐことは出来ない。
すなわち、手術時に体液や血液が飛散すると、目や耳に血液や体液が付着して感染するという問題が生じる。
【０００３】
そこで、従来は医療用ゴーグルを装着したり、アイシールド付きのマスクを使用して対応している。医療用ゴーグルは眼鏡タイプで、通常のメガネを掛けるように装着し、透明プラスチック製カバーで目の周り全面を被覆して、周囲からの飛散に対処できるようになっている。使用した後は、洗浄・消毒を行って再利用可能である。
しかし、重装なゴーグルを着用したのでは長時間の手術に耐えにくく、また該ゴーグルでは単に目の周り限定される。
【０００４】
従来、眼鏡タイプのフロントフレームの正面に複数の突片を設け、この突片に透明のプラスチックシートを取付けて構成したものが知られている。そこで、透明プラスチックシートの上縁部には複数の穴を貫通して設け、これら穴にフロントフレーム正面に設けた突片が嵌入するようにしている。そして、突片の一部には止着片を取付けて該突片に嵌って取付けた透明プラスチックシートが外れない構造としている。
【０００５】
一方、アイシールド付きマスクは表面及び裏面に曇り止め処理が施された透明な合成樹脂製フイルムシートをマスク上縁の該マスクと同一平面上に取り付けて、顔面全体を覆うように作られている。該アイシールドの下部中央には切り込みが設けてあり、装着時に着用者の鼻に位置するようにマスクに接着剤等で固定されている。
【０００６】
例えば、実用新案登録第３１６００３９号に係る「アイシールド」は、製作を簡単にし、マスク本体の形状が長方形状でも円形状でも装着可能にし、上向き又は下向きの力を受けてもマスクから外れ難いアイシールドである。
すなわち、装着者の顔面の上部を覆う湾曲可能で弾性のある透明合成樹脂シートで、下端部の左端と右端には、それぞれ下向きに突出した装着部を設け、左右の装着部は、それぞれ上端部に内側の縁から外側に向う紐挿入溝を形成しており、マスクへの装着時に、左右の装着部はそれぞれマスクの左右の掛け紐の内側に差し込み、左右の装着部の紐挿入溝にそれぞれマスクの左右の掛け紐を挿入し、左右の装着部の内側部はそれぞれマスクの本体の表側に配置し、左右の装着部はそれぞれ外側部の表側にマスクの掛け紐が当たり、内側部がマスク本体の表側に当るようにしている。
【特許文献１】実用新案登録第３１６００３９号に係る「アイシールド」
【考案の開示】
【考案が解決しようとする課題】
【０００７】
このように、手術時に飛散する血液や体液が顔面に付着しないようにしたガードは色々知られている。ここで、求められる点は着用し易いことであり、しかも位置ズレすることなく安定した着用が出来ることである。本考案が解決しようとする課題はこの点であり、メガネを掛けるように手軽に、しかも安定して着用することが出来、また透明のプラスチックシートの交換を簡単に行うことが出来る顔面ガードフレームを提供する。
【課題を解決するための手段】
【０００８】
本考案に係る顔面ガードフレームは眼鏡タイプであり、フロントフレームの両先端にはツルが取付けられている。そして、ツル先端部は着用した際に肌に馴染んで滑りにくいように、滑り防止手段を有している。ここで、滑り防止手段の具体的な形態は限定しないが、例えばシリコンなどの柔らかいゴムを取付けることが出来る。
【０００９】
フロントフレームの中央部には鼻当てパットが設けられ、この鼻当てパットにも滑り防止手段が施されている。そして上記フロントフレームは顔になじむように湾曲しており、該フロントフレームの正面に透明なプラスチックシートが湾曲して取付けられる。ツルの継手側端部には上記プラスチックシートを取付ける為に、ツル表面との間に僅かな隙間を残して挟持片を形成し、該隙間にはツル表面又は挟持片の裏面に２個の凸片を所定の間隔をおいて形成している。
【００１０】
上記２個の凸片の形状は特に限定しないが、一般には円形断面と三角形断面としている。したがって、プラスチックシートの両側端部には上記凸片が係合する為の２個の穴が必要に応じて貫通して設けている。
そこで、プラスチックシートの先端を上記挟持片とツル表面との間に形成される隙間ヘ嵌入し、穴には上記凸片を係合することで取付けることが出来る。本考案ではプラスチックシートの形状並びに大きさに関しては限定しないが、一般には顔面全体をカバーすることが出来る大きさ及び形状としている。
【００１１】
ここで、プラスチックシートの側端部に穴を形成しない場合もあり、薄いプラスチックシートは隙間に嵌入することで上記凸片がプラスチックシートに食い込んで止着される。  そして、プラスチックシートの具体的な材質は限定しないが、必要に応じて曇り止め処理を施すこともある。
【考案の効果】
【００１２】
本考案の顔面ガードフレームは眼鏡タイプとして構成し、顔面に馴染むように湾曲したフロントフレームに透明なプラスチックシートが取付けられている。したがって、メガネを掛ける場合と同じように手軽に着用することが出来、フロントフレームは顔に馴染むように湾曲していると共に、鼻当てパット及びツル先端部には柔らかいゴムなどの滑り止めが取付けられていることで位置ズレすることなく安定した着用が出来る。
【００１３】
そして、プラスチックシートはその両側端部に２個の穴を設け、この側端部をツル表面に形成した挟持片との間の隙間に嵌入すると共に、ツル表面又は挟持片裏面に設けた２個の凸片が穴に係合することで、該プラスチックシートは外れることはない。しかも、プラスチックシートの着脱は簡単に行うことが出来る。
一方、側端部に穴を形成しない場合であっても、薄いプラスチックシートであれば挟持片との間の隙間に嵌入することで凸片が食い込んでプラスチックシートは止着される。
【図面の簡単な説明】
【００１４】
【図１】本考案に係る顔面ガードフレームの実施例で斜視図を表している。
【図２】ガードフレームを構成するツル。
【図３】ツルに設けた挟持片。
【図４】本考案に係る顔面ガードフレームの実施例で、正面図と平面図。
【図５】メガネを掛けた状態で着用する顔面ガードフレームの具体例。
【図６】メガネを掛けた状態でガードフレームを着用した正面図。
【図７】メガネを掛けた状態でガードフレームを着用した平面図。
【図８】プラスチックシート示す別形態。
【考案を実施するための形態】
【００１５】
図１は本考案に係る顔面ガードフレームを示す実施例である。同図の１は透明なプラスチックシート、２はフロントフレーム、３，３はツルをそれぞれ表し、上記フロントフレーム２の両端側にはツル３，３が継手を介して折畳み出来るように取付けられている。  そして、フロントフレーム２は着用した際に顔に馴染むように滑らかに湾曲し、中央部には２個の鼻当てパット４，４が対を成して設けている。
【００１６】
ここで、ツル３，３の先端部、及び鼻当てパット４，４の一部は滑り防止の為に柔らかいゴム（例えば、シリコンゴム）を取付けている。本考案の顔面ガードフレームは同図に示すように眼鏡タイプとし、顔に着用した場合に滑って位置ズレすることなく安定した着用が可能である。そして、上記プラスチックシート１は湾曲したフロントフレーム２の正面に取付けられている。
【００１７】
該プラスチックシート１は透明な薄いシートであって、フロントフレーム２の下方へ大きく延び、又上方へも延びていて、さらに両側はツル３，３の途中まで延びている。したがって、このガードフレームを顔に装着するならば、顔の全面がカバーされ、手術中に飛散する血液や体液が顔に付着することはない。
【００１８】
ところで、プラスチックシート１はフロントフレーム２の正面に配置され、その両側端部がツル３，３に設けている挟持片５，５に挟み込まれて取付けられる。図２は上記挟持片５を設けたツル３を表している。挟持片５はツル３と一体化して形成され、該ツル３の表面６との間に僅かな隙間７を設け、この隙間７にプラスチックシート１の側端部が嵌入することが出来る。
【００１９】
図３は挟持片５の拡大図であり、該裏面８には三角凸片９と丸形凸片１０が所定の間隔をおいて突出している。プラスチックシート１の側端部には２個の穴が貫通して設けられ、プラスチックシート１の側端部は該隙間７に嵌入すると共に三角形凸片９と丸形凸片１０は穴に嵌ることで外れ落ちることなく、しかも位置決めされる。
該プラスチックシート１は薄い為に、挟持片５のバネ力にて隙間７に嵌ることで、挟持片５の裏面８に突出した三角凸片９と丸形凸片１０がプラスチックシート１に食い込むことで位置決め固定することも出来る。したがって、プラスチックシート１の側端部に穴を設けないこともある。ここで、上記凸片は２個と限らず、３個とする場合も可能である。
【００２０】
図２に示すツル３は挟持片５を一体化して形成しているが、バネ性に優れた金属製の挟持片５をツル表面に固定することも可能である。したがって、プラスチックシート１の側端部は挟持片５によってバネ力を付勢して挟まれると共に、三角形凸片９と丸形凸片１０が食い込むことで位置ズレすることなく取付けられる。
【００２１】
図４（ａ），（ｂ）はプラスチックシート１を取付けた顔面ガードフレームの正面図と平面図を表している。該プラスチックシート１はフロントフレーム２の正面に配置されるが、側端部が挟持片５，５にて挟み込まれることで簡単に取付け出来、またその取外しも簡単である。そして、ツル３の先端部は柔らかいゴム質と成っていて、またフロントフレーム２の鼻当てパット４，４にも柔らかいゴム質が取付けられている為に、ガードフレームは位置ズレすることなく安定して着用される。
【００２２】
図５は本考案に係るガードフレームを示す他の実施例である。基本的な形態は前記実施例の場合と同じであり、フロントフレーム１１の両側にはツル１２，１２が継手を介して折畳み出来るように取付けられている。そして、ツル１２，１２の継手側端部には挟持片１３，１３が設けられ、フロントフレーム１１の正面にはプラスチックシート１が上記挟持片１３，１３に側端部が挟まれて取付けられる。
【００２３】
ところで、図５に示すフロントフレーム１１はその幅寸法（奥行寸法）が大きく成っている。すなわち、常時メガネを着用している場合、このメガネを掛けている状態で本考案に係る顔面ガードフレームを着用することが出来るようにしている。すなわち、上記フロントフレーム１１の幅寸法を大きくし、メガネのフロント部の上縁部を覆うように配置される。そして、プラスチックシート１はメガネのフロント部正面に位置することになる。
【００２４】
図５の（ａ）は平面図、（ｂ）はフロントフレームに鼻当てパット１４，１４を取付けた場合の正面図、（ｃ）はフロントフレームに鼻当てパットを備えない場合の正面図をそれぞれ表している。
メガネを着用して本考案のガードフレームを着用する場合には鼻当てパットが邪魔になる為に不要となるが、メガネを掛けない人が着用する際にはフロントフレーム１１を支持するために鼻当てパット１４，１４が必要となる。したがって、該フロントフレーム１１には鼻当てパット１４，１４を着脱自在としている。
【００２５】
図６、図７はメガネを掛けた状態で本考案のガードフレームを着用した場合の正面図と平面図を表している。
ガードフレームのフロントフレーム１１は着用したメガネのフロント部１５の上に載って支持され、メガネとガードフレームを重ね合せて掛けることが出来る。ここで、メガネのツルは耳に係止するが、ガードフレームのツルは頭部を抱き込むように延びている。
【００２６】
図８はプラスチックシート１の別形態を示す実施例である。前記実施例で説明したプラスチックシート１は概略四角形を成し、湾曲したフロントフレームになじませてその両側端部を挟持片５，５、又は１３，１３との間に形成した隙間に嵌入して止着している。この止着方法に関しては同じであるが、該プラスチックシート１６は上端部を折り曲げて上部ガード片１７を形成している。
【００２７】
上部ガード片１７を後方へ折り曲げた状態で正面ガード部１８がフロントフレームになじんで湾曲することが出来るように上部ガード片１７との境界には切り込み１９，１９を設けている。図８（ａ）は上部ガード片１７を折り曲げる前のプラスチックシート１６の正面図を、図８（ｂ）は上部ガード片１７を折り曲げた状態の側面図をそれぞれ表わしている。
【００２８】
ところで、ツル表面に設けた挟持片５、１３との間に形成している隙間には正面ガード部１８の両側端部が嵌入して止着され、上部ガード片１７は後方へ延びて先端縁２０は顔の額に近接することが出来、飛散した血液や体液が上方から侵入しないようにすることが出来る。
【符号の説明】
【００２９】
１   プラスチックシート
２   フロントフレーム
３   ツル
４   鼻当てパット
５   挟持片
６   表面
７   隙間
８   裏面
９   三角凸片
10   丸形凸片
11   フロントフレーム
12   ツル
13   挟持片
14   鼻当てパット
15   フロント部
16  プラスチックシート
17  上部ガード片
18  正面ガード部
19  切り込み
20  先端縁
【図１】
0003194865.tif 000003
【図２】
0003194865.tif 000004
【図３】
0003194865.tif 000005
【図４】
0003194865.tif 000006
【図５】
0003194865.tif 000007
【図６】
0003194865.tif 000008
【図７】
0003194865.tif 000009
【図８】
0003194865.tif 000010